(57)【要約】  ゴルフホールマーカーアセンブリ１０が、ポール１２を含み、ポール１２に表示部材３０が取り付けられる。カバー３２が、表示部材３０に表示された事項をカバー３２を通して見ることができるように、表示部材３０を覆って取り付けられる。ポール１２の下端は、地面にあるホール内に皿穴状に提供されたカップ内に受取り可能である。カバーの操作可能下端は、ホール内に転がるゴルフボールに干渉しないように十分な距離だけポールの下端から長手方向で離隔される。本発明は、ポール１２に取付け可能な表示部材３０およびカバー３２を含むアクセサリに及ぶ。【選択図】  図１
2008519632.tif 000002
【特許請求の範囲】
【請求項１】
少なくとも１つの表示部材の少なくとも一部分を覆うためのカバーを含み、前記カバーの少なくとも一部分が、前記少なくとも１つの表示部材に掲載される事項を前記カバーを通して見ることができるように透明であり、前記カバーが、ホールマーカーのポールに取付け可能である、ホールマーカー用のアクセサリ。
【請求項２】
前記カバーをホールマーカーのポールに固定するための固定手段を含む請求項１に記載のアクセサリ。
【請求項３】
前記カバーが、ホールマーカーのポールを覆うように受取り可能であり、前記固定手段は、前記ポールの少なくとも下端部が前記カバーから突出するように前記カバーを前記ポールに固定するように構成される請求項２に記載のアクセサリ。
【請求項４】
前記固定手段が、前記少なくとも１つの表示部材の交換を可能にするために、前記カバーを前記ポールに解放可能に固定するように構成される請求項２または３に記載のアクセサリ。
【請求項５】
前記カバーが、透明な合成プラスチック材料から形成された管の形態であり、前記固定手段が、前記カバーを支持するために前記ポールに取付け可能な少なくとも１つのカラーを含む請求項２〜４のいずれか一項に記載のアクセサリ。
【請求項６】
前記固定手段が、前記カバーの反対側の両端部を支持するために、長手方向で離隔された位置で前記ポールに取付け可能な２つのカラーを含み、各カラーが、前記カラーを貫通する中央に設けられた穴を有し、前記穴を通して前記ポールの一部分を受取り可能であり、かつ各カラーが、１つまたは複数の係止ねじによって前記ポールに係止可能である請求項５に記載のアクセサリ。
【請求項７】
前記または各カラーが、前記カラーの一部を前記カバーの端部にきっちりと受取り可能であるように構成され、前記アクセサリが、前記または各カラーと前記カバーおよび／または前記ポールとの間のシールを提供するためのシール手段を含む請求項５または６に記載のアクセサリ。
【請求項８】
前記カバーによって覆うことができ、かつ前記カバーを通して見ることができる少なくとも１つの表示面を画定する少なくとも１つの表示部材を含む前記請求項のいずれか一項に記載のアクセサリ。
【請求項９】
前記表示部材が、ホールマーカーの前記ポールを覆うように受取り可能なスリーブの形態である請求項８に記載のアクセサリ。
【請求項１０】
表示すべき事項を受取り可能である少なくとも１つの表示面を画定する表示部材を含むホールマーカー用のアクセサリであって、前記表示部材が、ホールマーカーのポールに取外し可能に取付け可能であるアクセサリ。
【請求項１１】
前記表示部材を定位置で解放可能に保持するための保持手段を含む請求項１０に記載のアクセサリ。
【請求項１２】
前記表示部材が、ホールマーカーのポールを覆うように受取り可能なスリーブの形態であり、前記ポールの少なくとも下端部が、前記スリーブから突出する請求項１０または１１に記載のアクセサリ。
【請求項１３】
前記スリーブが、横断面で円形である請求項９または１２に記載のアクセサリ。
【請求項１４】
前記スリーブが、複数の角度的に分離された平坦な表示面を含む請求項９または１２に記載のアクセサリ。
【請求項１５】
前記スリーブが、横断面で三角形であり、３つの角度的に分離された長方形の表示面を有する請求項１４に記載のアクセサリ。
【請求項１６】
少なくとも５００ｍｍの長さを有する前記請求項のいずれか一項に記載のアクセサリ。
【請求項１７】
１０ｃｍ以下の幅を有する前記請求項のいずれか一項に記載のアクセサリ。
【請求項１８】
５１ｍｍ以下の幅を有する請求項１４に記載のアクセサリ。
【請求項１９】
地面にあるホール内に皿穴状に提供されたカップ内に取外し可能に受取り可能な下端を有するポールと、
前記ポールに取付解除可能に取り付けられ、少なくとも１つの外側に向けられた表示面を画定する表示部材と
を含むゴルフホールマーカーアセンブリ。
【請求項２０】
前記表示面または前記表示面に表示された事項をカバーを通して見ることができるように前記表示部材を覆う、少なくとも一部分が透明であるカバーを含む請求項１９に記載のゴルフホールマーカーアセンブリ。
【請求項２１】
地面にあるホール内に皿穴状に提供されたカップ内に取外し可能に受取り可能な下端を有するポールと、
前記ポールに取り付けられた、請求項１〜１８のいずれか一項に記載のアクセサリと
を含むゴルフホールマーカーアセンブリ。
【請求項２２】
前記アクセサリの下端が、Ｂよりも大きい距離だけ前記ポールの前記下端から長手方向で離隔され、ここでＢは、前記ポールが前記カップ内に設置されたときに地面の表面よりも下にある前記ポールの長さである請求項２１に記載のゴルフホールマーカーアセンブリ。
【請求項２３】
前記アクセサリの前記下端が、少なくともＢ＋３０ｍｍの距離だけ前記ポールの前記下端から長手方向で離隔され、前記ポールの前記下端が前記ホール内に設置されるときに、前記アクセサリが前記ホール内に転がるボールに干渉しないようにする請求項２２に記載のゴルフホールマーカーアセンブリ。
【請求項２４】
前記アクセサリの前記下端が、少なくともＢ＋６１０ｍｍの距離だけ前記ポールの前記下端から長手方向で離隔されている請求項２３に記載のゴルフホールマーカーアセンブリ。
【請求項２５】
操作可能下端および操作可能上端を有する細長い下端部と、
前記下端部の前記操作可能上端に接続解除可能に接続された細長い隣接部と
を含むゴルフホールマーカーアセンブリであって、
前記隣接部が、前記隣接部の長さの少なくとも一部分にわたって、前記下端部の横方向寸法よりも大きな横方向寸法を有し、少なくとも１つの外側に向けられた表示面を画定し、前記下端部は、地面にあるホール内に皿穴状に提供されたカップ内に前記ホールマーカーの下端が設置されるときに、前記隣接部の操作可能下端が地面の表面よりも上に離隔されるように十分に長いゴルフホールマーカーアセンブリ。
【請求項２６】
前記隣接部が、断面で円形である請求項２５に記載のゴルフホールマーカーアセンブリ。
【請求項２７】
前記隣接部が、多角形状であり、複数の細長い長方形の角度的に分離された表示面を有する請求項２５に記載のゴルフホールマーカーアセンブリ。
【請求項２８】
前記隣接部の操作可能上端に接続され、前記操作可能上端から突出する上部を含む請求項２５〜２７のいずれか一項に記載のゴルフホールマーカーアセンブリ。
【請求項２９】
前記上部が、フラッグ取付け手段を含み、それによりフラッグを前記上部に取付け可能である請求項２８に記載のゴルフホールマーカーアセンブリ。
【請求項３０】
前記上部が、ホールからの前記ゴルフホールマーカーアセンブリの取外しを容易にするためにハンドルの形態である請求項２８に記載のゴルフホールマーカーアセンブリ。
【請求項３１】
少なくとも１つの表示面を画定する表示部材と、
前記表示面または前記表示面に表示された事項をカバーを通して見ることができるように前記表示部材の少なくとも一部分を覆う、少なくとも一部分が透明であるカバーとを含むゴルフホールマーカーアセンブリ。
【請求項３２】
前記表示部材が、ポールに取り付けられ、前記ポールの下端が、地面にあるホール内に皿穴状に提供されたカップ内に取外し可能に受取り可能であり、前記カバーが、管状であり、前記ポールの前記下端から長手方向で離隔された下端を有する請求項３１に記載のゴルフホールマーカーアセンブリ。
【請求項３３】
地面にあるホール内に皿穴状に提供されたカップ内に取外し可能に受取り可能な下端を有するポールと、
前記ポールに取り付けられ、表示すべき事項が提供される、または表示すべき事項を受取り可能である少なくとも１つの外側に向けられた表示面を画定する剛性表示部材と
を含むゴルフホールマーカーアセンブリ。
【請求項３４】
地面にあるホール内に皿穴状に提供されたカップ内に取外し可能に受取り可能な下端を有するポールと、
少なくとも１つの表示面を画定し、前記ポールの前記下端から離隔された下端を有する表示部材とを含み、それにより、前記ポールの前記下端が前記カップ内に設置されるときに、前記表示部材の前記下端が地面の表面よりも上に位置され、前記表示部材が、少なくとも０．５ｍの長さを有するゴルフホールマーカーアセンブリ。
【請求項３５】
前記表示部材が、少なくとも１ｍの長さを有する請求項３４に記載のゴルフホールマーカーアセンブリ。
【請求項３６】
地面にあるホール内に皿穴状に提供されたカップ内に取外し可能に受取り可能な下端を有するポールと、
少なくとも１つの表示面を画定し、前記ポールの前記下端から離隔された下端を有する表示部材とを含み、それにより、前記ポールの前記下端が前記カップ内に設置されるときに、前記表示部材の前記下端が地面の表面よりも上に位置され、前記表示部材が、１００ｍｍ以下の幅を有するゴルフホールマーカーアセンブリ。
【請求項３７】
前記表示部材が、５１ｍｍ以下の幅を有する請求項３６に記載のゴルフホールマーカーアセンブリ。
【請求項３８】
地面にあるホール内に皿穴状に提供されたカップ内に取外し可能に受取り可能な下端を有するポールと、
前記ポールに接着して固定された表示部材と
を含むゴルフホールマーカーアセンブリ。
【請求項３９】
前記表示部材が、ステッカーの形態である請求項３８に記載のゴルフホールマーカーアセンブリ。
【請求項４０】
地面にあるホール内に皿穴状に提供されたカップ内に取外し可能に受取り可能な下端を有するポールと、
前記ポールに取り付けられ、前記ポールの長さの３５％以上の長さを有する表示部材と
を含むゴルフホールマーカーアセンブリ。
【請求項４１】
前記表示部材が、前記ポールの長さの４０％以上の長さを有する請求項３８〜４０のいずれか一項に記載のゴルフホールマーカーアセンブリ。
【請求項４２】
前記表示部材が、前記ポールの長さの５０％以上の長さを有する請求項３８〜４０のいずれか一項に記載のゴルフホールマーカーアセンブリ。
【請求項４３】
前記表示部材が、前記ポールの長さの６０％以上の長さを有する請求項３８〜４０のいずれか一項に記載のゴルフホールマーカーアセンブリ。
【請求項４４】
前記表示部材が、前記ポールの長さの７５％以上の長さを有する請求項３８〜４０のいずれか一項に記載のゴルフホールマーカーアセンブリ。
【請求項４５】
前記表示部材の少なくとも一部分を覆う、少なくとも一部分が透明であるカバーを含む請求項３３〜４４のいずれか一項に記載のゴルフホールマーカーアセンブリ。
【請求項４６】
地面にあるホール内に皿穴状に提供されたカップ内に取外し可能に受取り可能な下端を有するポールと、
前記ポールに表示部材を取り付けるための固定手段と
を含むゴルフホールマーカー。
【請求項４７】
請求項１〜１８のいずれか一項に記載のアクセサリ用の表示部材。
【請求項４８】
請求項１９〜２４または請求項３１〜４５のいずれか一項に記載のゴルフホールマーカーアセンブリ用の表示部材。
【請求項４９】
ゴルフホールマーカーに取り付けるための表示部材であって、表示すべき事項が提供される少なくとも１つの外側に突き出る表示面を有するスリーブを備える表示部材。
【請求項５０】
表示部材および円筒形カバーを備える表示ユニットであって、前記表示部材が、表示すべき事項が提供される少なくとも１つの外側に突き出る表示面を画定し、前記カバーの少なくとも一部分が透明であり、前記表示部材が前記カバー内部に提供される表示ユニット。
【請求項５１】
地面にあるホール内に皿穴状に提供されたカップ内に取外し可能に受取り可能な下端を有するポールと、
前記ポールに取付け可能な少なくとも１つの表示面を画定する表示部材と
を含むゴルフホールマーカーアセンブリキット。
【請求項５２】
前記表示面の少なくとも一部分を覆って取り付けられる、または取付け可能なカバーを含む請求項５１に記載のゴルフホールマーカーアセンブリキット。
【請求項５３】
フラッグポールの少なくとも下端部がスリーブの端部から突出するように、フラッグスティックの前記フラッグポールを覆うように受取り可能なスリーブであって、少なくとも１つの外側に向けられた表示面を有するスリーブと、
前記フラッグポールに前記スリーブを定位置で保持するための保持手段と
を含むゴルフフラッグスティック用のアクセサリ。
【請求項５４】
地面にあるホール内に皿穴状に提供されたカップ内に取外し可能に受取り可能な下端を有するフラッグポールと、
フラッグスティックに取り付けられる表示部材とを含むゴルフフラッグスティックアセンブリであって、
前記表示部材が、少なくとも１つの外側に向けられた表示面を画定し、前記フラッグスティックの下端から離隔され、それにより、前記フラッグスティックが前記カップ内に設置されるときに、前記表示部材が地面の高さよりも上に位置されるゴルフフラッグスティックアセンブリ。
【請求項５５】
操作可能下端および操作可能上端を有する下端部と、
前記下端部の前記操作可能上端に接続された隣接部とを含み、前記隣接部が、前記隣接部の長さの少なくとも一部分にわたって、前記下端部の横方向寸法よりも大きい横方向寸法を有し、少なくとも１つの外側に向けられた表示面を画定し、前記下端部は、地面にあるホール内に皿穴状に提供されたカップ内に前記フラッグポールの下端が設置されるときに、前記隣接部の操作可能下端が地面の表面よりも上に離隔されるように十分に長いゴルフフラッグポール。
【請求項５６】
地面にあるホール内に皿穴状に提供されたカップ内の穴内に取外し可能に受取り可能な下端と、前記フラッグポールの前記下端から離隔された外側に向けられた表示面とを有するゴルフフラッグポール。
【請求項５７】
請求項５４に記載のフラッグポールと、
前記フラッグポールに取り付けられたフラッグと
を含むゴルフフラッグスティック。
【発明の詳細な説明】
【発明の詳細な説明】
【０００１】
本発明は、ゴルフに関する。より詳細には、本発明は、ホールマーカー用のアクセサリに関する。さらに、本発明は、ゴルフホールマーカーアセンブリに関する。また、本発明は、表示部材および表示ユニットに関する。さらに、本発明は、ゴルフホールマーカーおよびゴルフホールマーカーアセンブリキットに関する。
【０００２】
ゴルフで、ホールの位置を示すためにホールマーカーが使用されている。これらのホールマーカーは、典型的には、地面にあるホール内に皿穴状に提供されたカップ内に取外し可能に受取り可能である下端を有するポールを含む。ゴルフコースでの使用を意図される場合、ポールは比較的長く、典型的には２ｍ以上であり、通常は、その上端に取り付けられたフラッグを有する。練習用パッティングおよびチッピンググリーンでの使用を意図されるとき、ポールは、より短くなる傾向があり、フラッグの代わりに、その上端に取り付けられたハンドルまたはホールナンバーを有することがある。
【０００３】
本発明の一態様によれば、少なくとも１つの表示部材の少なくとも一部分を覆うためのカバーを含み、カバーの少なくとも一部分が、少なくとも１つの表示部材に掲載される事項をカバーを通して見ることができるように透明であり、カバーが、ホールマーカーのポールに取付け可能である、ホールマーカー用のアクセサリが提供される。
【０００４】
アクセサリは、カバーをホールマーカーのポールに固定するための固定手段を含むことがある。
【０００５】
カバーは、ホールマーカーのポールを覆うように受取り可能であってよく、固定手段は、ポールの少なくとも下端部がカバーから突出するようにカバーをポールに固定するように構成される。
【０００６】
好ましくは、固定手段は、前記少なくとも１つの表示部材の交換を可能にするように、カバーをポールに固定するように構成される。好ましくは、固定手段は、カバーをポールに解放可能に固定するように構成される。
【０００７】
カバーは、透明な合成プラスチック材料、例えばポリカーボネートから形成された管の形態であってよく、固定手段は、カバーを支持するためにポールに取り付けられる、または取付け可能な少なくとも１つのカラーを含む。
【０００８】
固定手段は、カバーの反対側の両端部を支持するために、長手方向で離隔された位置でポールに取付け可能な２つのカラーを含むことがあり、各カラーが、カラーを貫通する中央に設けられた穴を有し、穴を通してポールの一部分を受取り可能であり、かつ各カラーが、１つまたは複数の係止ねじによってポールに係止可能である。
【０００９】
前記または各カラーは、カラーの一部をカバーの端部にきっちりと受取り可能であるように構成されることがあり、アクセサリが、前記または各カラーとカバーおよび／またはポールとの間のシールを提供するためのシール手段を含む。
【００１０】
アクセサリは、カバーによって覆うことができ、かつカバーを通して見ることができる少なくとも１つの表示面を画定する少なくとも１つの表示部材を含むことがある。
【００１１】
表示部材は、カバー内部に、ホールマーカーのポールを覆うように受取り可能なスリーブの形態であってよい。したがって、カバーと固定手段とが、ポールに定位置でスリーブを保持するための保持手段を共同で形成する。
【００１２】
本発明の別の態様によれば、表示すべき事項を受取り可能である少なくとも１つの表示面を画定する表示部材を含むホールマーカー用のアクセサリであって、表示部材が、ホールマーカーのポールに取外し可能に取付け可能であるアクセサリが提供される。
【００１３】
アクセサリは、ポールに定位置でスリーブを解放可能に保持するための保持手段を含むことがある。
【００１４】
表示部材は、ホールマーカーのポールを覆うように受取り可能なスリーブの形態であってよく、ポールの少なくとも下端部が、スリーブから突出する。
【００１５】
スリーブは、管状であってよく、合成プラスチック材料から形成されてよい。
【００１６】
スリーブは、横断面で円形であってよい。
【００１７】
そうではなく、スリーブは、複数の角度的に分離された平坦な表示面を含むこともある。本発明の一実施形態では、スリーブは、横断面で三角形であり、３つの角度的に分離された長方形の表示面を有することがある。
【００１８】
アクセサリは、少なくとも５００ｍｍの長さを有することがある。過剰な風荷重を回避するために、アクセサリは、１０ｃｍ以下の幅を有することがある。好ましくは、アクセサリ、およびアクセサリが取り付けられるホールマーカーの取扱いを容易にするために、アクセサリは、５１ｍｍ以下の幅を有する。
【００１９】
本発明のさらなる態様によれば、
地面にあるホール内に皿穴状に提供されたカップ内に取外し可能に受取り可能な下端を有するポールと、
ポールに取付解除可能に取り付けられ、少なくとも１つの外側に向けられた表示面を画定する表示部材と
を含むゴルフホールマーカーアセンブリが提供される。
【００２０】
ゴルフホールマーカーアセンブリは、表示面または表示面に表示された事項をカバーを通して見ることができるように表示部材を覆う、少なくとも一部分が透明であるカバーを含むことがある。
【００２１】
使用時、すなわちフラッグポールの下端がカップ内に設置されるとき、フラッグポールの下端部が、地面の高さよりも下に位置されることを理解されたい。表示部材は、好ましくは、フラッグスティックが前記カップ内に設置されたときに地面の高さよりも下にあるフラッグポールの下端部から、長手方向で離隔される。
【００２２】
本発明は、
地面にあるホール内に皿穴状に提供されたカップ内に取外し可能に受取り可能な下端を有するポールと、
ポールに取り付けられた、上述したホールマーカー用のアクセサリと
を含むゴルフホールマーカーアセンブリに及ぶ。
【００２３】
アクセサリの下端は、Ｂよりも大きい距離だけポールの下端から長手方向で離隔されることがあり、ここでＢは、ポールが前記カップ内に設置されたときに地面の表面よりも下にあるポールの長さである。
【００２４】
表示部材は、少なくともＢ＋３０ｍｍの距離だけポールの下端から長手方向で離隔されることがあり、ポールの下端がホール内に設置されるときに、アクセサリがホール内に転がるボールに干渉しないようにする。好ましくは、表示部材は、少なくともＢ＋６１０ｍｍの距離だけポールの下端から長手方向で離隔されている。
【００２５】
本発明は、さらに、
操作可能下端および操作可能上端を有する細長い下端部と、
下端部の操作可能上端に接続解除可能に接続された細長い隣接部と
を含むゴルフホールマーカーアセンブリであって、
隣接部が、その長さの少なくとも一部分にわたって、下端部の横方向寸法よりも大きな横方向寸法を有し、少なくとも１つの外側に向けられた表示面を画定し、下端部は、地面にあるホール内に皿穴状に提供されたカップ内にゴルフホールマーカーアセンブリの下端が設置されるときに、隣接部の操作可能下端が地面の表面よりも上に離隔されるように十分に長いゴルフホールマーカーアセンブリに及ぶ。
【００２６】
本発明の一実施形態では、隣接部が、断面で円形である。
【００２７】
本発明の別の実施形態では、隣接部が、多角形状であり、複数の細長い長方形の角度的に分離された表示面を有する。
【００２８】
ゴルフホールマーカーアセンブリは、隣接部の操作可能上端に接続され、その操作可能上端から突出する上部を含むことがある。
【００２９】
本発明の一実施形態では、上部が、フラッグ取付け手段を含むことがあり、それによりフラッグを上部に取付け可能である。
【００３０】
本発明の別の実施形態では、上部が、ホールからのゴルフホールマーカーアセンブリの取外しを容易にするためにハンドルの形態であってよい。
【００３１】
本発明はさらに、
少なくとも１つの表示面を画定する表示部材と、
表示面または表示面に表示された事項をカバーを通して見ることができるように前記表示部材の少なくとも一部分を覆う、少なくとも一部分が透明であるカバーとを含むゴルフホールマーカーアセンブリに及ぶ。
【００３２】
表示部材は、ポールに取り付けられることがあり、ポールの下端が、地面にあるホール内に皿穴状に提供されたカップ内に取外し可能に受取り可能であり、カバーが、管状であり、ポールの下端から長手方向で離隔された下端を有する。
【００３３】
本発明はさらに、
地面にあるホール内に皿穴状に提供されたカップ内に取外し可能に受取り可能な下端を有するポールと、
ポールに取り付けられ、表示すべき事項が提供される、または表示すべき事項を受取り可能である少なくとも１つの外側に向けられた表示面を画定する剛性表示部材と
を含むゴルフホールマーカーアセンブリに及ぶ。
【００３４】
表示部材の剛性は、表示部材に当たるゴルフボールのリバウンド性質が、従来のホールマーカーのポールに当たるゴルフボールのリバウンド性質と同様になるようなものであり、したがってゴルファーは、表示部材の存在によって有利にも不利にもならない。
【００３５】
さらに、本発明は、
地面にあるホール内に皿穴状に提供されたカップ内に取外し可能に受取り可能な下端を有するポールと、
少なくとも１つの表示面を画定し、ポールの下端から離隔された下端を有する表示部材とを含み、ポールの下端がカップ内に設置されるときに、表示部材の下端が地面の表面よりも上に位置され、表示部材が、少なくとも０．５ｍの長さを有するゴルフホールマーカーアセンブリに及ぶ。
【００３６】
表示部材は、好ましくは、少なくとも１ｍの長さを有する。
【００３７】
本発明は、さらに、
地面にあるホール内に皿穴状に提供されたカップ内に解放可能に受取り可能な下端を有するポールと、
少なくとも１つの表示面を画定し、ポールの下端から離隔された下端を有する表示部材とを含み、それにより、ポールの下端がカップ内に設置されるときに、表示部材の下端が地面の表面よりも上に位置され、表示部材が、１００ｍｍ以下の幅を有するゴルフホールマーカーアセンブリを提供する。
【００３８】
好ましくは、表示部材は、５１ｍｍ以下の幅を有する。
【００３９】
本発明は、さらに、
地面にあるホール内に皿穴状に提供されたカップ内に取外し可能に受取り可能な下端を有するポールと、
ポールに接着して固定された表示部材と
を含むゴルフホールマーカーアセンブリに及ぶ。
【００４０】
表示部材は、ステッカーの形態であってもよい。
【００４１】
本発明は、
地面にあるホール内に皿穴状に提供されたカップ内に取外し可能に受取り可能な下端を有するポールと、
ポールに取り付けられ、ポールの長さの３５％以上の長さを有する表示部材と
を含むゴルフホールマーカーアセンブリに及ぶ。
【００４２】
表示部材は、前記ポールの長さの４０％以上の長さを有することがある。
【００４３】
表示部材は、前記ポールの長さの５０％以上の長さを有することがある。
【００４４】
表示部材は、前記ポールの長さの６０％以上の長さを有することがある。
【００４５】
表示部材は、前記ポールの長さの７５％以上の長さを有することがある。
【００４６】
ホールマーカーアセンブリは、表示部材の少なくとも一部分を覆う、少なくとも一部分が透明であるカバーを含むことがある。
【００４７】
本発明は、さらに、
地面にあるホール内に皿穴状に提供されたカップ内に取外し可能に受取り可能な下端を有するポールと、
ポールに表示部材を取り付けるための固定手段と
を含むゴルフホールマーカーに及ぶ。
【００４８】
本発明は、上述したアクセサリ用の表示部材に及ぶ。
【００４９】
本発明は、さらに、上述したゴルフホールマーカーアセンブリ用の表示部材に及ぶ。
【００５０】
本発明は、さらに、ゴルフホールマーカーに取り付けるための表示部材であって、表示すべき事項が提供される少なくとも１つの外側に突き出る表示面を有するスリーブを備える表示部材に及ぶ。
【００５１】
本発明は、さらに、表示部材および円筒形カバーを備える表示ユニットであって、表示部材が、表示すべき事項が提供される少なくとも１つの外側に突き出る表示面を画定し、カバーの少なくとも一部分が透明であり、表示部材がカバー内部に提供される表示ユニットに及ぶ。
【００５２】
本発明は、また、
地面にあるホール内に皿穴状に提供されたカップ内に取外し可能に受取り可能な下端を有するポールと、
ポールに取付け可能な少なくとも１つの表示面を画定する表示部材と
を含むゴルフホールマーカーアセンブリキットに及ぶ。
【００５３】
キットは、表示面の少なくとも一部分を覆って取り付けられる、または取付け可能なカバーを含むことがある。
【００５４】
本発明の別の態様によれば、
フラッグポールの少なくとも下端部がスリーブの端部から突出するように、フラッグスティックのフラッグポールを覆うように受取り可能なスリーブであって、少なくとも１つの外側に向けられた表示面を有するスリーブと、
フラッグポールにスリーブを定位置で保持するための保持手段と
を含むゴルフフラッグスティック用のアクセサリが提供される。
【００５５】
好ましくは、スリーブは、フラッグポールの上下端部がスリーブの反対側の両端部から突出するように、フラッグポールを覆うように受取り可能である。
【００５６】
保持手段は、好ましくは、スリーブがフラッグポールに定位置で解放可能に保持されるように構成され、それによりスリーブを取り外す、望みの場合には別のスリーブと交換することを可能にする。
【００５７】
保持手段は、スリーブを覆うように受取り可能であり、かつ表示面または表示面に表示された事項をカバーを通して見ることができるように構成されたカバーと、カバーを、好ましくは取外し可能にフラッグポールに固定するための固定手段とを含むことがある。
【００５８】
カバーは、透明な合成プラスチック材料から形成された管の形態であってよい。固定手段は、カバーを支持するためにフラッグポールに取付け可能な少なくとも１つのカラーを含むことがある。
【００５９】
好ましくは、固定手段は、カバーの反対側の両端部を支持するために、長手方向で離隔された位置でフラッグポールに取付け可能な２つのカラーを含む。前記または各カラーは、カラーを貫通する中央に設けられた穴を有することがあり、その穴を通してフラッグポールの一部分を受取り可能であり、カラーは、１つまたは複数の係止ねじによってフラッグポールに係止可能である。
【００６０】
前記または各カラーは、その一部をカバーの端部にきっちりと受取り可能であるように構成されることがある。
【００６１】
アクセサリは、前記または各カラーとカバーおよび／またはフラッグポールとの間にシールを提供するためのシール手段を含むことがある。
【００６２】
スリーブは、複数の角度的に分離された平坦な表示面を含むことがある。本発明の好ましい実施形態では、スリーブは、断面で三角形であり、３つの長方形の表示面を有する。
【００６３】
本発明の別の態様によれば、
地面にあるホール内に皿穴状に提供されたカップ内に取外し可能に受取り可能な下端を有するフラッグポールと、
フラッグスティックに取り付けられる表示部材とを含むゴルフフラッグスティックアセンブリであって、表示部材が、少なくとも１つの外側に向けられた表示面を画定し、フラッグスティックの下端から離隔され、それにより、フラッグスティックが前記カップ内に設置されるときに、表示部材が、地面の高さよりも上に位置されるゴルフフラッグスティックアセンブリが提供される。
【００６４】
使用時、すなわちフラッグポールの下端がカップ内に設置されるとき、フラッグポールの下端部が、地面の高さよりも下に位置されることを理解されたい。表示部材は、好ましくは、フラッグスティックが前記カップ内に設置されたときに地面の高さよりも下にあるフラッグポールの下端部から、長手方向で離隔される。
【００６５】
好ましくは、表示部材は、フラッグスティックの下端部から少なくとも０．６ｍの距離だけ離隔されている。
【００６６】
表示部材は、フラッグスティックの下端部から少なくとも０．３ｍの距離だけ離隔されることもある。
【００６７】
換言すると、フラッグスティックが前記カップ内に設置されるとき、表示部材の下端が、少なくとも０．６ｍの距離だけ地面の表面よりも上に離隔される。
【００６８】
本発明のさらなる態様によれば、
操作可能下端および操作可能上端を有する下端部と、
下端部の操作可能上端に接続された隣接部とを含み、隣接部が、その長さの少なくとも一部分にわたって、下端部の横方向寸法よりも大きい横方向寸法を有し、少なくとも１つの外側に向けられた表示面を画定し、下端部は、地面にあるホール内に皿穴状に提供されたカップ内にフラッグポールの下端が設置されるときに、隣接部の操作可能下端が地面の表面よりも上に離隔されるように十分に長いゴルフフラッグポールが提供される。
【００６９】
典型的には、下端部の長さは、隣接部の操作可能下端が使用時に少なくとも０．３ｍの距離だけ地面の表面よりも上に離隔されるように選択される。好ましくは、隣接部の操作可能下端は、少なくとも０．６ｍの距離だけ地面よりも上に離隔される。
【００７０】
隣接部は、断面が円形であってよい。隣接部の直径は、６０ｍｍ以下であってよい。好ましくは、隣接部の直径は５０ｍｍである。隣接部の直径は２５ｍｍ以上であってよい。
【００７１】
本発明の別の実施形態では、隣接部が、多角形状であり、複数の細長い角度的に分離された表示面を有する。
【００７２】
隣接部は、下端部に接続解除可能に接続されることがある。したがって、表示面（１つまたは複数）に表示された事項を変更することが望まれるとき、隣接部を取り外して、表示すべき新たな事項が掲載されている隣接部と交換することができる。
【００７３】
フラッグポールは、典型的には、フラッグ取付け手段を含み、それによりフラッグをフラッグポールに取付け可能である。フラッグ取付け手段は、上部を含むことがあり、上部は、隣接部の操作可能上端に接続され、その操作可能上端から突出し、かつ隣接部の横方向寸法よりも小さい横方向寸法を有する。
【００７４】
フラッグポールは、表示面に表示された事項を有することがある。
【００７５】
本発明の別の態様によれば、地面にあるホール内に皿穴状に提供されたカップ内の穴内に取外し可能に受取り可能な下端と、フラッグポールの下端から離隔された外側に向けられた表示面とを有するゴルフフラッグポールが提供される。
【００７６】
本発明のさらに別の態様によれば、
上述したタイプのフラッグポールと、
フラッグポールに取り付けられたフラッグと
を含むゴルフフラッグスティックが提供される。
【００７７】
ここで、本発明を、例として添付の概略図面を参照しながら説明する。
【００７８】
図面の図１〜３において、参照番号１０は、本発明によるゴルフホールマーカーアセンブリを全体的に表す。アセンブリ１０は、一般に参照番号１２によって示されるゴルフフラッグスティックの形態でのポールと、フラッグスティック１２に取り付けられた、一般に参照番号１４によって示される本発明によるホールマーカー用のアクセサリとを含む。
【００７９】
フラッグスティック１２は、操作可能下端１６．１と操作可能上端１６．２とを有するフラッグポール１６を備える従来の構成のものである。フェルール１８が、フラッグポール１６の下端に取り付けられ、カップ２０にある相補ソケット内に受取り可能であり、カップ２０は、地面、典型的にはグリーンにあるホール２２内に皿穴状に提供されており、フラッグポール１６がそこから鉛直上方向に延在するようになっている。さらに、フラッグスティック１２は、従来の様式でフラッグポール１６の上端部に取り付けられたフラッグ２４を含む。
【００８０】
図面の図１で最も良く見ることができるように、フェルール１８が、カップ２０にある相補ソケット内に設置されるとき、フラッグポール１６の下端部Ｂが、グリーンの表面２５よりも下に位置される。当然、下端部Ｂの長さは、カップ２０がホール２２内に皿穴状に提供される深さに依存し、それに従って変わることがある。
【００８１】
アクセサリ１４は、隙間を有してフラッグポール１６を覆うように受取り可能な管状スリーブ３０の形態での表示部材と、スリーブ３０を覆うように受取り可能な管状カバー３２と、フラッグポール１６の所望の位置にアクセサリ１４を保持するための、一般に参照番号３４によって示される保持手段とを含む。
【００８２】
図示される実施形態では、スリーブ３０は、横断面で概して三角形であり、３つの細長い長方形の角度的に分離された表示面３６を有する。当然、表示部材３０の形状、したがって表示面（１つまたは複数）の特定の形状は変わることがあり、例えば表示部材は、正方形、円形、または任意の他の適切な断面であってよい。さらに、剛性管状形態ではなく、表示部材は、シート材料、例えば紙、カードボード、またはビニルなどの合成プラスチック材料から形成されてもよく、これは変形可能であり、カバー３２内部に受取り可能であり、カバー３２の形状を取る。そうではなく、表示部材は、フラッグポール１６の表面に直接添付されるステッカーの形態であってもよい。
【００８３】
カバー３２は、ゴルフボールからの衝撃に耐えるのに十分に強い、ポリカーボネートまたはパースペックスなどの透明な合成プラスチック材料から形成される。さらに、カバーは、所望のリバウンド性質を有するように設計することができ、カバーに接触したゴルフボールのエネルギーが簡単には吸収されないようにし、それにより、ボールがカバーに接触したゴルファーが、カバーの存在によって有利にも不利にもならないことを保証する。望まれる場合には、カバーの材料は、自然力に対して耐性をもつように、特にＵ．Ｖ．耐性をもつように処理することもできる。
【００８４】
固定手段３４は、一対の実質的に同一のカラー３８を含む。図面の図３で最も良く見ることができるように、各カラー３８は、円形の内端部４０と、外端部４１と、カラーを通って延在し、端部４０、４１から外に開く軸方向延在ボア４２とを有する。図示される実施形態では、外端部４１はドーム状になっており、しかし任意の適切な形を取ることができる。ボア４２は、わずかな隙間を有してフラッグポール１６を覆うようにカラー３８を摺動させて受取り可能であるように寸法を定められる。各カラー３８は、その端部４０、４１の中間に、環状の外側に突出するショルダ４４を設けられる。カラー３８は、その内端部がカバー３２の端部内にきっちりと受取り可能であるように寸法を定められ、ショルダ４４は、カラー３８をカバー３２内に挿入することができる深さを制限するためにストップとして働く。各カラー３８は、ボア４２から半径方向外側に延在する複数の円周方向で離隔されたねじ穴４６を含む。カラー３８は、穴４６内にねじ留めされてフラッグポール１６と係合する係止ねじ４８によって、フラッグポール３６に解放可能に係止可能である。ねじ４８を使用する代わりに、摩擦によって、例えばフラッグポール３６への密着によって、または任意の適切な様式で、カラー３８を定位置で保持することもできる。
【００８５】
ホールマーカーアセンブリ１０を組み立てるために、フラッグ２４が、フラッグポール１６から取り外される。下側カラー３８が、フラッグポールを覆って設置され、係止ねじ４８によってフラッグポール１６に定位置で固定される。次いで、表示すべき事項、例えばロゴ、企業名、商標名、および／またはスローガンなどの広告事項を表示面３６に有するスリーブ３０が、フラッグポール１６を覆って設置され、スリーブ３０の下端が下側カラー３８に載るようにする。次いで、カバー３２が、ショルダ４４に当接するまで、スリーブ３０およびカラー３８を覆って設置される。次いで、上側カラー３８が、フラッグポールを覆って設置され、カラー３８のショルダ４４がカバー３２の上縁部に当接するまでカバー３２の上端に挿入される。次いで、上側カラー３８が、係止ねじ４８によって定位置で固定される。したがって、カバー３２は、カラー３８間に捕捉され、スリーブ３０に表示された事項は、カバー３２を通して見ることができる。次いで、フラッグ２４がフラッグポール１６に取り付けられ、従来のフラッグスティックと同様にアセンブリ１０を使用できるようにする。
【００８６】
代替手順として、フラッグポール１６に下側カラー３８を固定した後、カバー３２が、その下端が下側カラー３８に載るようにフラッグポール１６を覆って設置される。表示部材３０は、カバー３２の開いた頂部を通してフラッグポール１６とカバー３２との間の環状空間内に挿入される。次いで、上述したように上側カラー３８が定位置で固定される。
【００８７】
望まれる場合には、例えばＯリング（図示せず）の形態でのシールを、カラー３８の半径方向内側および外側環状凹部４９（その１つが図３に示されている）に提供することができ、フラッグポール１６およびカバー３２を封止して、カバー３２の内部への水分の浸入を阻止する。
【００８８】
ホール２２内に転がるボールとの起こり得る干渉を回避するために、アクセサリ１４の下端は、距離Ｘだけ下端部Ｂよりも上に位置される。距離Ｘは、典型的には少なくとも３０ｍｍであり、これは練習用パッティンググリーンに適している。ゴルフコースでは、距離Ｘは０．６ｍ程度であることが多い。
【００８９】
アクセサリ１４の寸法が変わることがあることを理解されたい。しかし、本発明者は、約５０ｍｍの直径Ｄを有するカバー３２を備える約１．４ｍの長さＬを有するアクセサリが十分に機能すると考えている。さらに、本発明者は、本発明によるアクセサリが、ＵＳＧＡおよびＲ＆Ａルールに適合することを確認している。
【００９０】
ここで図面の図７を参照すると、図７において、参照番号４００が、本発明によるゴルフホールマーカーを全体的に表している。特に示さない限り、上で使用したのと同じ参照番号が、同様の部分を表すために使用される。ゴルフホールマーカー４００は、フラッグスティック１２を含み、フラッグスティック１２に表示部材を取り付けるための、一般に参照番号４０２によって示される固定手段がフラッグスティック１２に提供される。図示される実施形態では、固定手段４０２は、フラッグスティック１２に固定されるカラー３８の形態である。これは、スリーブ３０およびカバー３２の形態での表示部材を、上述したようにフラッグスティックに取り付けることができるようにする。しかし、固定手段４０２は、任意の形態を取ることができ、例えばフラッグスティック１２と一体であってもよいことを理解されたい。
【００９１】
本発明のさらなる実施形態では、表示部材は、フラッグスティックと一体にされることがあり、カバーを有して、またはカバーを有さずに使用されることがある。
【００９２】
ここで図面の図４を参照すると、図４において、参照番号１１０が、本発明による別のゴルフホールマーカーアセンブリを全体的に表している。アセンブリ１１０は、フラッグ１１４が取り付けられるフラッグポール１１２を含む。
【００９３】
フラッグポール１１２は、操作可能下端１１２．１と、操作可能上端１１２．２とを有する。フェルール１１６が、フラッグポール１１２の下端に取り付けられ、カップ１１８にある相補ソケット内に受取り可能であり、カップ１１８は、地面、典型的にはグリーンにあるホール１２０内に皿穴状に提供されており、フラッグポール１１２がそこから鉛直上方向に延在するようになっている。
【００９４】
フラッグポール１１２は、３つのセクションまたは部分、すなわち細長い下端部１２２と、細長い隣接または中間部１２４と、細長い上部１２６とを含む。
【００９５】
図示される実施形態では、隣接部１２４は円筒形状であり、下端部１２２および上部１２６は、隣接部１２４の反対側の両端部に接続され、両端部から突出する。さらに、隣接部１２４は、下端部１２２および上部１２６の直径よりも大きい直径を有する。
【００９６】
図面で明白に見ることができるように、フェルール１１６が、カップ１１８にある相補ソケット内に設置されるとき、下端部１２２の部分Ｂが、グリーンの表面１２８よりも下に位置される。当然、下端部１２２の部分Ｂの長さは、カップ１１８がホール１２０内に皿穴状に提供される深さに依存し、それに従って変わることがある。
【００９７】
隣接部１２４は、表示部材を形成し、外側表示面１３０を画定し、表示面１３０に、事項、例えばロゴ、企業名、商標名、および／またはスローガンなどの広告事項を表示することができる、またはそれらが表示されている。
【００９８】
フラッグ１１４は、従来の様式で上部１２６に取り付けられる。
【００９９】
隣接部または表示部材１２４は、下端部１２２および上部１２６に接続される。一実施形態では、表示部材は、下端部１２２および上部１２６に固定される。図面に示される好ましい実施形態では、部材１２４は、カラー１３２によって、部分１２２、１２４に接続解除可能に接続される。部分１２２、１２４、１２６を接続し合わせるための任意の適切な接続構成を使用することができることを理解されたい。したがって、表示面１３０に表示された事項を変更することが望まれるとき、隣接部１２４を部分１２２、１２６から接続解除して、表示すべき新たな事項が掲載されている新たな隣接部１２４と交換することができる。
【０１００】
表示される事項は、例えば塗装によって、表示部材の表面に直接塗布することができる。そうではなく、事項は、部材１２４に接着して固定されるステッカーに提供することもできる。
【０１０１】
ホール１２０内に転がるボールとの起こり得る干渉を回避するために、隣接部１２４の下端は、距離Ｘだけ部分Ｂよりも上に位置される。上で説明したように、距離Ｘは、典型的には少なくとも３０ｍｍであり、０．６ｍ程度であることが多い。したがって、下端部２２の長さは、Ｘ＋Ｂである。
【０１０２】
フラッグスティック１０の寸法が変わることもあることを理解されたい。しかし、本発明者は、約１．４ｍの長さＬと、２５ｍｍ〜１００ｍｍの間、典型的には約５０ｍｍの直径とを有する隣接部２４が十分に機能すると考えている。
【０１０３】
隣接部は、円形断面ではなく、横断面で多角形状、例えば三角形または正方形であってもよく、それにより複数の角度的に分離された長方形表示面を画定する。
【０１０４】
ここで図面の図５を参照すると、図５において、参照番号２００が、本発明によるさらに別のゴルフホールマーカーアセンブリを全体的に表している。アセンブリ２００は、アセンブリ１０と構成が同様であり、特に示さない限り、上で使用したのと同じ参照番号が、同様の部分を表すために使用される。
【０１０５】
アセンブリ１０と２００との主な相違点は、アセンブリ１０が、ゴルフコースでのホールの位置をマークするための使用を意図されているのに対し、アセンブリ２００は、練習用パッティングまたはチッピンググリーンでの使用を意図されており、したがってアセンブリ１０よりも実質的に短いことである。
【０１０６】
さらに、上に凹のボウル６０が、ポール１６の下端に隣接してポール１６に取り付けられる。ボウル６０は、カップ内に転がったボールがボウル６０に留まるようにカップ２０内にきっちりと受取り可能であるように寸法を定められる。さらに、ハンドル６２がポール１６の上端に取り付けられて、ホールからポールを持ち上げるのを容易にする。その際、ボウル６０に留まっているボールもホール２２から持ち上げられることを理解されたい。ハンドル６２は、ホールナンバーを掲載することができる円板の形態である。しかし、ハンドルは、任意の適切な形態であってよく、またはフラッグによって置き換えることもできることを理解されたい。
【０１０７】
アセンブリ２００の寸法が変わることもあることを理解されたい。しかし、本発明者は、約５０ｍｍの直径Ｄを有するカバー３２を備える約５５０ｍｍの長さＬを有するアクセサリ１４が十分に機能すると考えている。
【０１０８】
図面の図６で、参照番号３００が、本発明によるさらに別のゴルフホールマーカーアセンブリを全体的に表している。アセンブリ３００は、アセンブリ１１０と構成が同様であり、特に示さない限り、上で使用したのと同じ参照番号が、同様の部分を表すために使用される。
【０１０９】
ここでもやはり、アセンブリ１１０がゴルフコースでの使用を意図されているのに対し、アセンブリ３００は、練習用パッティングまたはチッピンググリーンでの使用を意図されており、アセンブリ２００と同様の寸法を有する。
【０１１０】
望まれる場合には、アクセサリおよび／またはアセンブリの構成要素を、キットとして提供することもできる。
【０１１１】
本発明者は、本発明によるゴルフホールマーカーアセンブリ１０、１１０、２００、３００が、よく見える位置に広告事項を表示することができる表示面を広告主に提供すると考えている。さらに、本発明によるホールマーカー用のアセンブリは、従来のフラッグスティックに容易に取付け可能であるので、フラッグスティックは、比較的簡単に、高い費用効果で改良することができる。
【図面の簡単な説明】
【０１１２】
【図１】本発明によるゴルフホールマーカーアセンブリの側面図である。
【図２】図１のＩＩ−ＩＩで取られた断面図である。
【図３】図１および２のアセンブリの一部分の３次元分解図である。
【図４】本発明による別のゴルフホールマーカーアセンブリの側面図である。
【図５】本発明によるさらに別のホールマーカーアセンブリの側面図である。
【図６】本発明によるさらに別のゴルフホールマーカーアセンブリの側面図である。
【図７】本発明によるゴルフホールマーカーの側面図である。
【図１】
2008519632.tif 000003
【図２】
2008519632.tif 000004
【図３】
2008519632.tif 000005
【図４】
2008519632.tif 000006
【図５】
2008519632.tif 000007
【図６】
2008519632.tif 000008
【図７】
2008519632.tif 000009
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
表示すべき事項が提供される、または表示すべき事項を受取り可能である少なくとも１つの外側に向けられた表示面を画定する表示部材を含み、前記表示部材が、ゴルフホールマーカーのポールに取外し可能に取付け可能である、ゴルフホールマーカー用のアクセサリ。
【請求項２】
前記表示部材を定位置で解放可能に保持するための保持手段を含む請求項１に記載のアクセサリ。
【請求項３】
前記表示部材が、ゴルフホールマーカーのポールを覆うように受取り可能なスリーブの形態であり、前記ポールの少なくとも下端部が、前記スリーブから突出する請求項１または２に記載のアクセサリ。
【請求項４】
前記スリーブが、横断面で円形である請求項３に記載のアクセサリ。
【請求項５】
前記スリーブが、複数の角度的に分離された平坦な表示面を含む請求項３に記載のアクセサリ。
【請求項６】
前記スリーブが、横断面で三角形であり、３つの角度的に分離された長方形の表示面を有する請求項５に記載のアクセサリ。
【請求項７】
少なくとも５００ｍｍの長さを有する請求項１〜６のいずれか一項に記載のアクセサリ。
【請求項８】
１０ｃｍ以下の幅を有する請求項１〜７のいずれか一項に記載のアクセサリ。
【請求項９】
５１ｍｍ以下の幅を有する請求項８に記載のアクセサリ。
【請求項１０】
地面にあるホール内に皿穴状に提供されたカップ内に取外し可能に受取り可能な下端を有するポールと、前記ポールに取付解除可能に取り付けられ、表示すべき事項が提供される、または表示すべき事項を受取り可能である少なくとも１つの外側に向けられた表示面を画定する表示部材とを含むゴルフホールマーカーアセンブリ。
【請求項１１】
前記表示面または前記表示面に表示された事項をカバーを通して見ることができるように前記表示部材を覆う、少なくとも一部分が透明であるカバーを含む請求項１０に記載のゴルフホールマーカーアセンブリ。
【請求項１２】
地面にあるホール内に皿穴状に提供されたカップ内に取外し可能に受取り可能な下端を有するポールと、前記ポールに取り付けられた、請求項１〜９のいずれか一項に記載のアクセサリとを含むゴルフホールマーカーアセンブリ。
【請求項１３】
前記アクセサリの下端が、Ｂよりも大きい距離だけ前記ポールの前記下端から長手方向で離隔され、ここでＢは、前記ポールが前記カップ内に設置されたときに地面の表面よりも下にある前記ポールの長さである請求項１２に記載のゴルフホールマーカーアセンブリ。
【請求項１４】
前記アクセサリの前記下端が、少なくともＢ＋３０ｍｍの距離だけ前記ポールの前記下端から長手方向で離隔され、前記ポールの前記下端が前記ホール内に設置されるときに、前記アクセサリが前記ホール内に転がるボールに干渉しないようにする請求項１３に記載のゴルフホールマーカーアセンブリ。
【請求項１５】
前記アクセサリの前記下端が、少なくともＢ＋６１０ｍｍの距離だけ前記ポールの前記下端から長手方向で離隔されている請求項１４に記載のゴルフホールマーカーアセンブリ。
【請求項１６】
地面にあるホール内に皿穴状に提供されたカップ内に取外し可能に受取り可能な下端を有するポールと、前記ポールに取り付けられ、表示すべき事項が提供される、または表示すべき事項を受取り可能である少なくとも１つの外側に向けられた表示面を画定する剛性表示部材とを含むゴルフホールマーカーアセンブリ。
【請求項１７】
地面にあるホール内に皿穴状に提供されたカップ内に取外し可能に受取り可能な下端を有するポールと、前記ポールに接着して固定された表示部材とを含むゴルフホールマーカーアセンブリ。
【請求項１８】
前記表示部材が、ステッカーの形態である請求項１７に記載のゴルフホールマーカーアセンブリ。
【請求項１９】
前記表示部材が、前記ポールの長さの４０％以上の長さを有する請求項１７または１８に記載のゴルフホールマーカーアセンブリ。
【請求項２０】
前記表示部材が、前記ポールの長さの５０％以上の長さを有する請求項１７または１８に記載のゴルフホールマーカーアセンブリ。
【請求項２１】
前記表示部材が、前記ポールの長さの６０％以上の長さを有する請求項１７または１８に記載のゴルフホールマーカーアセンブリ。
【請求項２２】
前記表示部材が、前記ポールの長さの７５％以上の長さを有する請求項１７または１８に記載のゴルフホールマーカーアセンブリ。
【請求項２３】
前記表示部材の少なくとも一部分を覆う、少なくとも一部分が透明であるカバーを含む請求項１６〜２２のいずれか一項に記載のゴルフホールマーカーアセンブリ。
【請求項２４】
請求項１〜９のいずれか一項に記載のアクセサリ用の表示部材。
【請求項２５】
請求項１０〜２３のいずれか一項に記載のゴルフホールマーカーアセンブリ用の表示部材。
【請求項２６】
地面にあるホール内に皿穴状に提供されたカップ内に取外し可能に受取り可能な下端を有するポールと、前記ポールに取付け可能な少なくとも１つの外側に向けられた表示面を画定する表示部材とを含むゴルフホールマーカーアセンブリキットであって、前記少なくとも１つの表示面に、表示すべき事項が提供される、または表示すべき事項を受取り可能であるゴルフホールマーカーアセンブリキット。
【請求項２７】
前記表示面の少なくとも一部分を覆って取り付けられる、または取付け可能なカバーを含む請求項２６に記載のゴルフホールマーカーアセンブリキット。
【国際調査報告】
2008519632.tif 000010
2008519632.tif 000011
2008519632.tif 000012
2008519632.tif 000013
2008519632.tif 000014